(57)【要約】      （修正有）【課題】軸筒開口部を栓体が磁着により密閉する構造とした場合であっても、栓体開放時にペン先を栓体内面に接触することなく開放できる出没式筆記具を提供する。【解決手段】栓体４を備えた出没式筆記具１であって、ペン先３１の移動に伴ってペン先３１と同方向に移動する第１磁性体５を軸筒２内のペン先３１近傍に備える。軸筒２の開口部２１近傍に第２磁性体２２を備える。栓体４に第３磁性体４１を備える。第３磁性体４１は第２磁性体２２に対して磁着される磁極を有する。ペン先没入時には、第２磁性体２２と第３磁性体４１が磁着状態で栓体４が開口部２１を密閉しており、突出操作時には、第１磁性体５がペン先３１の前進に伴って前方に移動することで第３磁性体４１が第２磁性体２２から反発剥離して栓体４が開放される。【選択図】図１
2011230327.tif 000002
【特許請求の範囲】
【請求項１】
出没操作により開閉される栓体で塞がれる開口部を有する軸筒内に、ペン先を備えた筆記体を前後方向へ移動可能に収容し、突出操作に伴い筆記体が前進することで前記栓体を開放してペン先を開口部先端から突出する出没式筆記具であって、
前記ペン先の移動に伴ってペン先と同方向に移動する第１磁性体を軸筒内のペン先近傍に備え、前記第１磁性体より前方の軸筒の開口部近傍に第２磁性体を備え、前記第２磁性体より前方の栓体に第３磁性体を備えており、前記第３磁性体は第２磁性体に対して磁着される磁極を有しており、
ペン先没入時には、第２磁性体と第３磁性体が磁着状態で栓体が開口部を密閉しており、
突出操作時には、第１磁性体がペン先の前進に伴って前方に移動することで第３磁性体が第２磁性体から反発剥離して栓体が開放し、ペン先が栓体内面に接触することなく突出され、
没入操作時には、第１磁性体がペン先の後退に伴って後方に移動することで第３磁性体が第２磁性体と磁着して開口部が栓体で再び閉鎖されることを特徴とする出没式筆記具。
【請求項２】
前記第１磁性体と第３磁性体が対向面を同極とする磁石であり、磁力が、第１磁性体＞第３磁性体の関係にある請求項１記載の出没式筆記具。
【請求項３】
前記第２磁性体が第３磁性体と磁着する方向に配設される磁石であり、磁力が、第１磁性体＞第３磁性体＞第２磁性体の関係にある請求項２記載の出没式筆記具。
【請求項４】
筆記体を後方に付勢する弾発体が軸筒内前方に設けられており、前記弾発体の伸縮に伴って磁性体Ａが移動する請求項１乃至３のいずれかに記載の出没式筆記具。
【請求項５】
前記弾発体がバネ圧の異なる二種類のスプリングを直列配置したものであり、バネ圧の弱い第２スプリングが前方に配置され、バネ圧の強い第１スプリングが後方に配置されており、前記スプリング間に第１磁性体が配設される請求項４記載の出没式筆記具。
【請求項６】
前記筆記体が、インキ吸蔵体とマーキングペンチップからなるマーキングペン形態である請求項１乃至５のいずれかに記載の出没式筆記具。
【発明の詳細な説明】
【技術分野】
【０００１】
本発明は、出没式筆記具に関する。詳細には、出没操作によって筆記体のペン先が突出没入される軸筒開口部先端が栓体によって封止されてなる出没式筆記具に関する。
【背景技術】
【０００２】
従来、出没操作によって軸筒の開口部からペン先を突出、没入することで筆記可能状態、保管状態となる出没式筆記具が広く用いられており、そのなかで保管時にペン先が乾燥することを抑制するために、軸筒の開口部を開閉可能な栓体で封止したものが開示されている（例えば、特許文献１，２参照）。
前記特許文献記載の筆記具は、いずれも栓体と軸筒開口部に磁石を設けることで磁着可能とし、ペン先没入時に栓体が開放することなく開口部を密閉した状態を維持するものである。そのため、長期間の保管においてもペン先が乾燥することを抑制でき、筆記時に筆跡かすれ等の不具合を生じることがないものである。
【先行技術文献】
【特許文献】
【０００３】
【特許文献１】特開平３−１７５０９４号公報
【特許文献２】実開平３−９８８８号公報
【０００４】
しかしながら、前記特許文献１，２記載の筆記具は、ペン先を突出させる際、突出操作で筆記体が前進してペン先が栓体内面に接触した後、該ペン先で栓体を押圧することで開放するものである。そのため、繰り返しの使用でペン先の変形や潰れを生じることがあり、筆記性能に支障をきたすものとなる。また、栓体内面にインキが付着するため、該付着量が多くなると栓体内面のみならず開口部周辺を汚してしまうことがある。これらの不具合は特にマーキングペン形態の筆記体で生じ易いものである。
また、特許文献２の筆記具では、ペン先の先端側周面部分を磁性体で形成し、栓体に吸引（磁着）される構成であり、ペン先没入時に後退するペン先と栓体が磁着して、該栓体を確実に封鎖状態（開口部との磁着状態）に戻すものである。そこで筆記体前進時にペン先側周面と栓体が長時間磁着状態を維持するため、栓体を完全に開放する際にはペン先先端にかかる負荷が大きくなる。そのため、ペン先の変形やインキ汚れ等がより生じ易いものとなる。
【発明の概要】
【発明が解決しようとする課題】
【０００５】
本発明は、前述の栓体を備えた出没式筆記具において軸筒開口部を栓体が磁着により密閉する構造とした場合であっても、栓体開放時にペン先を栓体内面に接触することなく開放することにより、栓体をペン先で押圧することで生じるペン先の変形や潰れを抑制し、栓体内面へのインキ付着を防止でき、筆記性能の悪化や付着インキによる周辺汚損等の不具合を解消できる出没式筆記具を提供するものである。
尚、本発明において、「前」とはペン先側を指し、「後」とは反対側を指す。
【課題を解決するための手段】
【０００６】
本発明は、出没操作により開閉される栓体４で塞がれる開口部２１を有する軸筒２内に、ペン先３１を備えた筆記体３を前後方向へ移動可能に収容し、突出操作に伴い筆記体３が前進することで前記栓体４を開放してペン先３１を開口部先端から突出する出没式筆記具１であって、
前記ペン先３１の移動に伴ってペン先３１と同方向に移動する第１磁性体５を軸筒２内のペン先３１近傍に備え、前記第１磁性体５より前方の軸筒２の開口部２１近傍に第２磁性体２２を備え、前記第２磁性体２２より前方の栓体４に第３磁性体４１を備えており、前記第３磁性体４１は第２磁性体２２に対して磁着される磁極を有しており、
ペン先没入時には、第２磁性体２２と第３磁性体４１が磁着状態で栓体４が開口部２１を密閉しており、
突出操作時には、第１磁性体５がペン先３１の前進に伴って前方に移動することで第３磁性体４１が第２磁性体２２から反発剥離して栓体４が開放し、ペン先３１が栓体４内面に接触することなく突出され、
没入操作時には、第１磁性体５がペン先３１の後退に伴って後方に移動することで第３磁性体４１が第２磁性体２２と磁着して開口部２１が栓体４で再び閉鎖されることを要件とする。
更に、前記第１磁性体と第３磁性体が対向面を同極とする磁石であり、磁力が、第１磁性体＞第３磁性体の関係にあること、前記第２磁性体が第３磁性体と磁着する方向に配設される磁石であり、磁力が、第１磁性体＞第３磁性体＞第２磁性体の関係にあることを要件とする。
更に、筆記体３を後方に付勢する弾発体６が軸筒内前方に設けられており、前記弾発体６の伸縮に伴って第１磁性体５が移動すること、前記弾発体６がバネ圧の異なる二種類のスプリングを直列配置したものであり、バネ圧の弱い第２スプリング６２が前方に配置され、バネ圧の強い第１スプリング６１が後方に配置されており、前記スプリング６１，６２間に第１磁性体５が配設されることを要件とする。
更には、前記筆記体３が、インキ吸蔵体とマーキングペンチップからなるマーキングペン形態であることを要件とする。
【発明の効果】
【０００７】
本発明により、ペン先突出操作時にペン先を栓体内面に接触することなく栓体を開放することが可能となるため、繰り返しの栓体開放によるペン先の変形や潰れや、栓体内面へのインキ付着を生じることがなくなり、筆記性能の悪化や付着インキによる周辺汚損を生じることなくペン先の乾燥を長期間抑制できる。
また、筆記体を後方に付勢する弾発体の伸縮に伴ってペン先が栓体内面に接触することなく栓体が開放される構成とすることで、部品数を増加することなくペン先突出操作と同時に栓体を確実に開放できるものとなる。
【図面の簡単な説明】
【０００８】
【図１】本発明の出没式筆記具の一実施例を示す要部縦断面図であり、ペン先収納状態からペン先突出状態に至る連続説明図（ａ）乃至（ｆ）である。
【発明を実施するための形態】
【０００９】
図１は本発明の出没式筆記具の実施の形態を示す図であり、収納状態からペン先突出状態に至る動きを（ａ）〜（ｆ）に示す。
本実施の形態の出没式筆記具１は、前端にペン先３１を備えた筆記体３と、前記筆記体３を内部に収容する軸筒２と、前記軸筒２の開口部２１を封止する開閉可能な栓体４と、前記栓体４を開放する第１磁性体５と、前記第１磁性体５を保持すると共に筆記体３を後方に付勢する弾発体６とを備える後端ノック式筆記具である。
【００１０】
・軸筒
軸筒２は、円筒状に形成された合成樹脂成形物であり、前記軸筒２の後部側壁外面にはクリップが一体又は別部材で設けられる。前記軸筒２の後端にはノック体が突出され、押圧操作箇所を形成している。尚、これらの材質は合成樹脂の他、金属、セラミック、木材等、従来から筆記具に適用されるものを適宜用いることが可能である。
軸筒２内には、外部からの操作により筆記体３のペン先３１を出没させる出没機構（図示せず）が設けられる。本実施の形態では、ペン先突出操作がノック体の前方への押圧操作であるノック式の出没機構が採用される。具体的には、ペン先突出操作及びペン先没入操作の両操作をノック体の押圧操作により行なう、ダブルノック式の出没機構が採用される。尚、前記ペン先突出操作がノック体の前方への押圧操作であるノック式の出没機構は、これ以外に、ペン先没入操作が、軸筒側壁のクリップを径方向外方に持ち上げたり、軸筒側壁のクリップまたは解除ボタンを径方向内方に押圧するタイプであってもよい。
【００１１】
軸筒２の前端には開口部２１が軸方向に貫設されており、前記開口部２１を通して筆記体３のペン先３１が出没される。前記開口部２１の前端内周面には環状磁石又は環状鉄よりなる第２磁性体２２が嵌着される。尚、本実施の形態（第一の実施形態）では、第２磁性体２２は、軸筒内方側をＳ極とし、軸筒外方側をＮ極とする磁石を用いることで、ペン先没入時に栓体４を吸引することで封鎖性を高めた構成をとっている。第二の実施形態としては、前記第２磁性体２２に鉄製リングを適用することで、ペン先突出時に栓体４が開放し易い構成をとっている。
また、本実施形態では、栓体４を保護するとともに外方向の移動を規制する保護部２３が設けられる。前記保護部２３は先端に孔部２４を有する樹脂成形物であり、軸筒２の開口部２１前方に嵌合される。
【００１２】
・栓体
栓体４は、開口部２１の外径よりも大きい平板状（内側に窪みを有する）の合成樹脂部材であり、開口部２１外周に嵌合される嵌合部と開閉時の支持部分となる可撓性支持部と一体に成形される。
前記栓体４は第３磁性体４１を備えており、前記開口部２１を封鎖した際に第２磁性体２２と重なる位置に形成されることで、開口部２１と栓体４が密接される。第３磁性体４１は環状磁石をインモールド成形することで設けられ、第一の実施形態では、第２磁性体２２のＮ極側と磁着するように軸筒２側をＳ極、外方側をＮ極とする磁石が配設される。また、第二の実施形態では、第１磁性体５と反発するように、配設時の磁極の方向が決められる。尚、前記第３磁性体４１は、栓体と一体成形される他、別体を圧入や係止することでも設けることができる。
尚、本実施の形態で前記栓体４は可撓性支持部及び嵌合部と一体に成形することで部品点数を減らした構成としているが、別体を蝶番等の部材を用いて蝶着することや、更に、バネ性を付与してペン先没入時の閉鎖性を向上させたもの等を用いることもできる。
【００１３】
・第１磁性体
第１磁性体５は強磁力を有する磁石を備えた環状部材であり、ペン先３１が内側を貫通するように軸筒内に配設され、弾発体６によって前後動可能に保持される（実施形態では二種の弾発体６間で前後動可能に挟持される）。本実施形態では、前方（栓体４方向）を第３磁性体４１の軸筒２側磁極（Ｓ極）と同極とする環状磁石がそのまま用いられるが、樹脂部材等の所望箇所に磁石片を設けて第１磁性体を構成したものであってもよい。尚、第１磁性体の磁力は第２磁性体や第３磁性体よりもはるかに強いものが適用される。
【００１４】
・筆記体
前記筆記体３は、内部にインキを収容した容器と、前記容器の前端部に取り付けられるペン先３１からなる。本実施の形態では、前記ペン先３１は、繊維加工体または多孔質体からなるペン体（マーキングペンチップ）が採用される。尚、本発明で適用されるペン先３１は、これ以外に、例えば、ボールペンチップ、プラスチック押出成形体からなるペン体、前端に切り欠き状スリットを有する金属板製ペン体、毛筆ペン体等、いずれであってもよい。
また、本実施の形態では、前記容器は前面中心部分に前端孔を備えた円筒状の合成樹脂成形物であり、内部にインキを含浸させたインキ吸蔵体が収容される。前記前端孔にはペン先３１が圧入固着され、ペン先３１後端がインキ吸蔵体と直接（またはインキ誘導部材を介して）接続される。更に、容器内部に外気を取り込むためのエア孔が開口される。
尚、本実施の形態では、筆記体３として、インキを含浸したインキ吸蔵体を容器内に収容するタイプ（いわゆる中綿式）を採用したが、本発明では、これ以外に、容器内部に直接インキを収容するタイプ(いわゆる直液式)を採用することもできる。
【００１５】
・シール部
収納状態で前記筆記体３の容器前端部外面と接触するように、軸筒２内壁には環状弾性体からなるシール部７が設けられる。前記シール部７は少なくともペン先没入時には軸筒２内面と筆記体３（容器部分）外面とが環状に密接される。これにより、ペン先没入時、開口部２１が栓体４で閉鎖されると同時に、シール部７前方（即ち、軸筒２内面と筆記体３外面が環状に密接される部分）が密閉される。前記シール部７は、弾性材料からなる環状部材であり本願のように軸筒２内壁側に取り付けられる他、筆記体３外周に取り付けることもできる。いずれの場合も、軸筒２や筆記体（容器）を成形する際に同時成形（２色成形）することが製造上簡易な点から好ましいが、成形後に弾性材料からなる環状部材を別体で取り付けることもできる。尚、本実施の形態では、筆記体３の外面と軸筒２の内面との確実な密接状態を得るために、軸筒２内面に溝部を形成し、該溝部に環状弾性体を圧入固着することで、軸筒２内面にシール部７を形成している。
【００１６】
・弾発体
軸筒２内部の開口部２１後方には、圧縮コイルスプリングよりなる弾発体６が収容配置される。前記弾発体６の前端は軸筒２内前端部に当接し、後端は筆記体３の前方外面（容器前端）に当接されており、筆記体３が後方に常時付勢される。
尚、本実施の形態では、前記弾発体６としてバネ圧の異なる二種類のスプリング（第１スプリング，第２スプリング）を直列配置したものが適用され、第１スプリングと第２スプリングの間で第１磁性体５を挟持することで第１磁性体５を前後動可能に保持している。前記二種類のスプリングは、バネ圧が弱い第２スプリング６２が前方に配置され、バネ圧が強い第１スプリング６１が後方に配置されている。そのため、ノック操作により後端のノック体を押圧した際、押圧力によって圧縮される各スプリングの圧縮量に応じて筆記体３の前進距離と第１磁性体の前進距離が調整可能となる。
【００１７】
・磁性体の関係
前述の三種類の磁性体のうち、第１磁性体と第３磁性体は磁石等の磁力を有するものが適用され、第２磁性体は磁力を有するもの又は磁力を有しない磁着可能なものを適用できる。
第２磁性体が磁力を有しない場合、第１磁性体と第３磁性体は対向面（第２磁性体側の面）が同極となるように配置され、磁力の関係が、第１磁性体＞第３磁性体となるものが用いられる。
また、第２磁性体が磁力を有する場合、第２磁性体が第３磁性体と磁着する方向に磁極が配設されると共に、第１磁性体と第３磁性体が対向面（第２磁性体側の面）を同極とするように配設される。その際、磁力関係が、第１磁性体＞第３磁性体＞第２磁性体となるものが適用される。
前記磁性体の関係で構成することで、磁力の反発力によって栓体４を開放できるため、磁着密閉される栓体を非磁性体で直に押圧開放するよりも弱い力で容易に開放できる。また、非磁性体で押圧開放する場合、ペン先３１が栓体４に接触しないように押圧部材を開口部２１から突出させる必要があるため前後方向に長い部材となり、軸筒内でのスペースが必要となる。これに対して前記磁性体は磁力の強弱によって調整できるため、部材サイズを大きくする必要がなく、大スペースを要しないものである。
【００１８】
○ペン先出没操作による作動
・ペン先突出作動
本実施の形態の出没式筆記具１のペン先没入状態からのペン先突出作動を図１の（ａ）〜（ｆ）に順に示す。
出没式筆記具１をペン先没入状態からペン先突出状態にするために、第３磁性体４１が第２磁性体２２に磁着され密栓状態であるペン先没入時〔図１（ａ）参照〕に、弾発体６の弾発力に抗してノック体を前方に押圧することで、まずバネ圧が弱い第２スプリング６２が圧縮され第１磁性体５が前進する〔図１（ｂ）参照〕。その後、バネ圧が強い第１スプリング６１が圧縮され始めて筆記体３が前進し、ペン先３１が開口部２１近傍に接近する〔図１（ｃ）参照〕。
更にノック体を押圧すると、第２スプリング６２が更に圧縮され第１磁性体５が栓体４に最接近する〔図１（ｄ）参照〕。この際、第１磁性体５の前進と同時に、第３磁性体４１が第１磁性体５と反発することで、屈曲した可撓性支持部を延伸するように栓体４が開放される〔図１（ｅ）参照〕。
更にノック体を押圧すると、筆記体３が前進することで第１スプリング６１が更に圧縮され、ペン体３１が軸筒開口部２１及び孔部２４を貫通して突出し、出没機構のペン先突出状態が維持されることで筆記使用可能となる〔図１（ｆ）参照〕。この際、ペン先３１が栓体４内面に接触することなく栓体開放とペン先突出がなされる〔図１（ｄ）〜（ｆ）参照〕。
【００１９】
・ペン先没入作動
本実施の形態の出没式筆記具１のペン先没入作動として、前記ペン先突出作動を説明する図１を（ｆ）から（ａ）に逆順に説明する。
ペン先突出状態〔図１（ｆ）参照〕からペン先没入状態〔図１（ａ）参照〕にするために、ノック体を前方に押圧すると、出没機構のペン先突出状態が解除され、弾発体６（第１スプリング６１）の弾発力により、軸筒２内部を筆記体３が後方に移動する。筆記体３が後方に移動することにより、筆記体３のペン先３１が軸筒２内に没入し、続いて第１磁性体５が第２スプリング６２の弾発力により後方に移動する。そのため、第３磁性体４１と第１磁性体５との反発が解除され、第３磁性体４１が第２磁性体２２に吸引され栓体４が開口部２１側に引き寄せられることで密栓状態となる〔図１（ｅ）〜（ｂ）参照〕。最後に第２スプリング６２が完全に延伸することで第１磁性体５が栓体４から最長位置に戻されるため、第３磁性体４１と第２磁性体２２がより強い磁着状態で開口部２１が密閉されペン先没入状態（収納状態）となる。それにより、非筆記使用時のペン先３１からのインキの蒸発が防止できる。
【００２０】
本実施の形態の出没式筆記具１は、筆記体３の容器前端からのペン先３１の突出長さ、各磁性体の材質や磁力、栓体４の位置や形状や取付方法、弾発体６のバネ圧や配設数、第１磁性体５の位置や形状等が適宜設定される。それにより、ペン先突出過程及びペン先没入過程で、ペン先３１が栓体４に接触しないように容易に設定される。そのため、ペン先３１の損傷や、ペン先３１や栓体４の近傍のインキ汚れの発生を防止できる。
【符号の説明】
【００２１】
１  出没式筆記具
２  軸筒
２１  開口部
２２  第２磁性体
２３  保護部
２４  孔部
３  筆記体
３１  ペン先
４  栓体
４１  第３磁性体
５  第１磁性体
６  弾発体
６１  第１スプリング
６２  第２スプリング
７  シール部
【図１】
2011230327.tif 000003